(57)【要約】      （修正有）【課題】ドア及び／若しくは開閉可能な家具部のための隠しヒンジを提供する。【解決手段】第１のカム要素５及び第２のカム要素６は、接続装置のアーム要素２０で形成され、部分を第１の締め金具メンバ１ａに形成し、アーム要素２０が回転するピン３に従って異なる位置で配置され、ピン３の周囲に拡張される。第１の締め金具メンバ１ａにおいて、夫々の第１及び第２の弾性手段５１、６１によって付勢される第１及び第２のタペット５０、６０は、少なくとも部分的に重複しないアーム要素２０の回転の夫々の角度領域で第１のカム要素５及び第２のカム要素６の対応する動作部分と、夫々、相互作用する。第１及び第２の弾性手段５１、６１は、回転の角度が増大する場合に負荷がかけられ、回転の角度が減少した場合に開放され、この結果、閉鎖位置に向かう移動を生じる。【選択図】図９
2013064313.tif 000002
【特許請求の範囲】
【請求項１】
ドア若しくは開放可能な家具部、及び、夫々の枠でその他部分の一部も埋め込まれるように設計され、  
夫々の平面（１２ａ；１３ａ；１２ｂ；１３ｂ）にある夫々の平面部（１０ａ；１１ａ；１０ｂ；１１ｂ）の少なくとも１つを各々有し、  
ドア若しくは開放できる家具部の完全な開放位置に対応する、ヒンジ（１）の開放位置と、ドア若しくは開放できる家具部の閉鎖位置に対応する、前記ヒンジ（１）の閉鎖位置との間で、互いに相対的な移動を可能にし、第１の締め金具メンバ（１ａ）の平面面（１０ａ，１１ａ）の面（１２ａ，１３ａ）が、接続装置（２）を適合するためのハウジングを形成するために、閉鎖位置で第１の締め金具メンバ（１ａ）の空洞（１４ａ）と、第２の締め金具メンバ（１ｂ）の空洞（１４ｂ）とが組み合わせられる、第２の締め金具メンバ（１ｂ）の平面部（１０ｂ，１１ｂ）の面（１２ｂ，１３ｂ）に直面する所で、
接続装置（２）によって互いに接続される、第１及び第２の締め金具メンバ（１ａ；１ｂ）と、を具備し、
前記接続装置（２）は、前記第１の締め金具メンバ（１ａ）の回転ピン（３）に関連して回転し、前記ピン（３）に関連して回転の角度（ＡＬＦＡ）が、前記閉鎖位置でのゼロである最小値と、前記開放位置でのゼロでない最大値（ＡＬＦＡ＿ＭＡＸ）と、前記閉鎖及び開放位置の間の中間位置での前記最小及び最大の間の中間値と、から選択するアーム要素（２０）を有する、ドア及び／若しくは開閉できる家具部のための隠しヒンジ（１）であって、
自動閉鎖装置（４）を、さらに具備し、
前記自動閉鎖装置（４）は、
夫々、前記アーム要素（２０）の対応する第１の部分（２０ａ）及び第２の部分（２０ｂ）に形成され、
夫々、前記回転ピン（３）の周囲に延長し、ピン（３）自身に従って異なる位置に設置される、少なくなくとも第１のカム要素（５）及び第２のカム要素（６）と、
第１のカム要素（５）に嵌合し続ける第１の弾性手段（５１）によって付勢された少なくとも１つの第１のタペット（５０）と、
第２のカム要素（６）に嵌合し続ける第２の弾性手段（６１）によって付勢された少なくとも１つの第２のタペット（６０）と、を具備し、
前記第１及び第２のタペット（５０、６０）と前記夫々の第１及び第２の弾性手段（５１、６１）とは、前記第１の締め金具メンバ（１ａ）に設置され、前記閉鎖位置にある場合に、前記第１の締め金具メンバ（１ａ）の前記キャビティ（１４ａ）及び前記第２の締め金具メンバ（１ｂ）の前記キャビティ（１４ｂ）による組み合わせで形成された前記ハウジングで受けられ、
前記第１のカム要素（５）は、前記第１のタペット（５０）が、第１の角度領域（Ｉ）の範囲に含まれる前記アーム要素（２０）の前記回転角度（ＡＬＦＡ）の複数の値と相互に作用する夫々の動作部分（５２）を有し、前記第２のカム要素（６）は、前記第２のタペット（６０）が、前記第１の角度領域（Ｉ）に少なくとも部分的に重複しない第２の角度領域（ＩＩ）の範囲に含まれる前記アーム要素（２０）の前記回転角度（ＡＬＦＡ）の複数の値と相互に作用する夫々の動作部分（６２）を有し、
前記第１の回転領域（Ｉ）で、第１の回転方向（ｉ）で前記アーム要素（２０）の前記回転は、前記第１の弾性手段（５１）に徐々に負荷をかける前記第１のタペット（５０）で前記第１のカム要素（５）の前記動作部分（５２）の動作に対応し、前記第１の回転の反対への第２の回転方向（ｉｉ）での前記アーム要素（２０）の前記回転は、前記第１の弾性手段（５１）の前記漸進的な解除と、前記第１のカム要素（５）の前記動作部分（５２）で前記第１のタペット（５０）の前記結果として生じる動作とに対応し、この結果前記閉鎖位置に向かう前記第１及び第２の締め金具メンバ（１ａ、１ｂ）の関連する移動が生じ、
前記第２の角度領域（ＩＩ）で、前記第１の回転方向（Ｉ）で前記アーム要素（２０）の前記回転は、前記第２の弾性手段（６１）に徐々に負荷をかける前記第２のタペット（６０）で前記第２のカム要素（６）の前記動作部分（６２）の動作に対応し、前記第２の回転方向（ｉｉ）への前記アーム要素（２０）の前記回転は、前記第２の弾性手段（６１）の前記徐々に開放と前記第２のカム要素（６）の前記動作部分（６２）での前記第２のタペット（６０）の前記結果として生じる動作とに対応し、この結果前記閉鎖位置に向かう前記第１及び第２の締め金具メンバ（１ａ、１ｂ）の関連する移動を生じる、ことを特徴とするドア及び／若しくは開閉できる家具部のための隠しヒンジ（１）。
【請求項２】
前記第１の角度領域（Ｉ）及び前記第２の角度領域（ＩＩ）は、分離している、ことを特徴とする請求項１の隠しヒンジ（１）。
【請求項３】
前記第１の角度領域（Ｉ）は、ゼロより大きい若しくは等しい第１の所定の値（ＡＬＦＡ＿１）、及び、前記第１の値（ＡＬＦＡ＿１）よりも大きい第２の所定の値（ＡＬＦＡ＿２）の間の前記アーム要素（２０）の前記回転の角度（ＡＬＦＡ）の値によって規定され、前記第１の回転方向（ｉ）への前記アーム要素（２０）の前記回転は、前記第１の所定の値（ＡＬＦＡ＿１）から前記第２の所定の値（ＡＬＦＡ＿２）への方向で前記回転角度（ＡＬＦＡ）を増大し、反対の場合も同様に、前記第２の回転方向（ｉｉ）への方向へのアーム要素（２０）の前記回転は、前記第２の所定の値（ＡＬＦＡ＿２）から前記第１の所定の値（ＡＬＦＡ＿１）への方向で前記回転角度（ＡＬＦＡ）が減少し、
前記第２の角度領域（ＩＩ）は、ゼロより大きい若しくは等しい第３の所定の値（ＡＬＦＡ＿３）、及び、前記所定の第３の値（ＡＬＦＡ＿３）及び前記第２の所定の値（ＡＬＦＡ＿２）の両方よりも大きい第４の所定の値（ＡＬＦＡ＿４）の間の前記アーム要素（２０）の前記回転の角度（ＡＬＦＡ）の値によって規定され、前記第４の所定の値（ＡＬＦＡ＿４）は、前記第３の所定の値（ＡＬＦＡ＿３）から前記第４の所定の値（ＡＬＦＡ＿４）への方向で前記回転角度（ＡＬＦＡ）を増大し、反対の場合も同様に、前記第２の回転方向（ｉｉ）への前記アーム要素（２０）の前記回転は、前記第４の所定の値（ＡＬＦＡ＿４）から前記第３の所定の値（ＡＬＦＡ＿３）への方向で前記アーム要素（２０）の前記回転は、前記第４の所定の値（ＡＬＦＡ＿４）から前記第３の所定の値（ＡＬＦＡ＿３）への方向で前記回転角度（ＡＬＦＡ）を減少する、ことを特徴とする請求項１若しくは２の隠しヒンジ（１）。
【請求項４】
前記第１のカム要素（５）は、前記回転方向（ｉ）で動作部分（５２）を追従し、前記第１のタペット（５０）は、第２の所定の値（ＡＬＦＡ＿２）、及び、前記第４の所定の値（ＡＬＦＡ＿４）より小さい若しくは最大でも等しい、第５の所定の値（ＡＬＦＡ＿５）の間の前記回転角度（ＡＬＦＡ）の値に接近する状態になる第１の予備部分（５３）を有し、
前記予備部分（５３）及び前記第１のタペット（５０）の間の相互作用の間に、前記第１の回転の方向（ｉ）への前記アーム要素（２０）の回転の間の、回転角度ユニット毎の前記第１の弾性手段（５１）の負荷の増大は、ゼロ若しくは前記動作部分（５２）で生じるこれよりも小さい値である、ことを特徴とする請求項３の隠しヒンジ（１）。
【請求項５】
前記第１のカム要素（５）及び前記第２のカム要素（６）の各々は、前記第１のタペット（５０）及び前記第２のタペット（６０）が前記第４の所定の値（ＡＬＦＡ＿４）及び前記最大値（ＡＬＦＡ＿ＭＡＸ）の間の前記アーム要素（２０）の回転の角度（ＡＬＦＡ）の値に夫々近接する状態にあり、タペット及びカムの間の相互作用の間に、前記第１の弾性手段（５１）及び前記第２の弾性手段（６１）は、夫々、これらの負荷レベルを一定に維持し、若しくは、前記第１の回転方向（ｉ）へ前記アーム要素（２０）の回転の方向にこれを減少する、夫々の末端部（５４、６４）を有する、請求項３若しくは４の隠しヒンジ（１）。
【請求項６】
前記第１のカム要素（５）の前記動作部分（５２）及び前記第２のカム要素（６）の前記動作部分（６２）は、前記アーム要素（２０）の前記回転ピン（３）によって規定され、この軸を含まない前記回転の軸に平行な夫々の平面（５２０、６２０）によって各々規定され、
前記平面（５２０、６２０）は、ゼロではなく、直角より小さい所定の角度（ＢＥＴＡ）で互いに傾斜され、
前記第１及び第２のタペット（５０、６０）の各々は、前記押圧部（５００、６００）が属する前記タペット（５０、６０）が夫々の動作部分（５２、６２）に接触している場合に、前記各々の平面（５２０、６２０）の前記平面で横断する軸（５０１、６０１）に従って移動可能な少なくとも１つの押圧部（５００、６００）を有し
前記押圧部（５００、６００）が前記回転ピン（３）の前記軸から離れる方向に少なくとも１つの夫々のらせんバネ（５０２、６０２）によって反発される、ことを特徴とする請求項３乃至５のいずれか１のヒンジ（１）。
【請求項７】
前記第１のカム（５）の前記動作部分（５２）の前記平面部（５２０）がある前記平面は、前記第４の所定の値（ＡＬＦＡ＿４）及び前記アーム要素（２０）の前記回転角度（ＡＬＦＡ）の前記第２の所定の値（ＡＬＦＡ＿２）の間の差異での値に等しい角度を通して前記第２の回転方向（ｉｉ）へ前記アーム要素（２０）の回転ピン（３）の前記軸に関連する前記後者を回転することによって前記第２のカム要素（６）の前記動作部分（６２）の前記平面（６２０）がある前記平面から取得される、ことを特徴とする請求項６の隠しヒンジ（１）。
【請求項８】
前記第１のタペット（５０）の前記押圧部（５００）が移動し、平行に前記らせんバネ（５０２）が制御する前記軸は、前記第２のタペット（６０）の前記押圧部（６００）が移動し、平行に前記らせんバネ（６０２）が制御する前記軸（６０１）に平行である、ことを特徴とする請求項６若しくは７の隠しヒンジ（１）。
【請求項９】
前記第１のタペット（５０）の前記押圧部（５００）が移動に従う軸及び前記第２のタペット（６０）の前記押圧部（６００）が移動に従う軸によって規定される前記平面は、前記アーム要素（２０）の前記回転ピン（３）の前記軸を含む、ことを特徴とする請求項８の隠しヒンジ（１）。
【請求項１０】
前記第１の弾性手段（５１）に作用し、前記第１のタペット（５０）及び複数の所定の最小値から選択できる前記第１のカム要素（５０）の前記動作部分（５２）の間の最小接触力の所定の値で使用者によって設定され得る第１のプレロードデバイス（５１０）と、
前記第２の弾性手段（６１）に作用し、前記第２のタペット（６０）及び複数の所定の最小値から選択できる前記第２のカム要素（６０）の前記動作部分（６２）の間の最小接触力の所定の値で、前記第１のプレロードデバイス（５１０）から独立して、使用者によって設定され得る第２のプレロードデバイス（６１０）と、を有することを特徴とする請求項１乃至９のいずれか１の隠しヒンジ（１）。
【請求項１１】
前記第１のプレロードデバイス（５１０）及び前記第２のプレロードデバイス（６１０）の各々は、夫々のロッカー（５１１、６１１）及び前記ロッカー（５１１、６１１）で制御する夫々の変則レバー（５１３、６１３）を有し、
前記ロッカーは、前記アーム要素（２０）の前記回転ピン（３）の前記軸に平行な夫々の軸（５１２、６１２）に関連して旋回され、前記複数の軸（５１２、６１２）の片側に、前記ロッカー（５１１、６１１）は、前記夫々の弾性手段（５１、６１）の前記らせんバネ（５０２、６０２）に接触し、前記複数の軸（５１２、６１２）の反対側で、前記ロッカーは、前記夫々の変則レバー（５１３、６１３）に接触し、
前記変則レバー（５１３、６１３）は、前記開放位置にある場合に少なくとも前記使用者に接近でき、前記らせんバネ（５０２、６０２）を押圧する前記夫々のカム要素（５，６）を押圧するために前記夫々のタペット（５０、６０）が移動する方向、若しくは、前記反作用を取得するための反対の方向へ前記夫々のロッカー（５１１、６１１）の回転の角度を選択する、ことを特徴とする請求項８で直接的若しくは間接的に独立した場合の請求項１０の隠しヒンジ（１）。
【請求項１２】
前記押圧部（５０１、６０１）、らせんバネ（５０２、６０２）、ロッカー（５１１、６１）及び変則レバー（５１３、６１３）は、前記第１の締め金具メンバの前記キャビティ（１４ａ）の前記壁に形成された夫々のハウジングに適合される、ことを特徴とする請求項１１の隠しヒンジ（１）。
【請求項１３】
前記らせんバネ（５０２、６０２）、ロッカー（５１１、６１１）及び変則レバー（５１３、６１３）は、前記閉鎖位置にある場合に前記第２の締め金具メンバ（１ｂ）から前記第１の締め金具メンバの先端の前記キャビティ（１４ａ）の底壁（１４０ａ）に形成された夫々のハウジングに適合されている、ことを特徴とする請求項１１若しくは１２の隠しヒンジ（１）。
【請求項１４】
前記第１の締め金具メンバ（１ａ）は、前記接続装置（２）が嵌合され、位置を調整するために前記第１の構成（８ａ）に関連して移動できる第１の構成（８ａ）及び少なくとも第２の構成（９ａ）を有し、
前記閉鎖位置にある場合に前記第２の締め金具メンバ（１ｂ）から前記第１の締め金具メンバ先端の前記キャビティ（１４ａ）の前記底壁（１４０ａ）は、前記第２の構成（９ａ）の底壁によって少なくとも部分的に規定される、ことを特徴とする請求項１３の隠しヒンジ。
【請求項１５】
前記第１及び第２のタペット（５０、６０）及び前記夫々の第１及び第２の弾性手段（５１、６１）は、前記第１の締め金具メンバ（１ａ）の前記キャビティ（１４ａ）の前記複数の壁に形成される夫々のハウジングに適合される、ことを特徴とする請求項１乃至１４の隠しヒンジ（１）。
【発明の詳細な説明】
【技術分野】
【０００１】
本発明は、ドア及び／若しくは開閉可能な家具部のための一体化された閉鎖装置を有する隠しヒンジに関連する。
【背景技術】
【０００２】
ドア若しくは開閉可能な家具部が、ドア（若しくは、開閉可能な家具部）そのものの反対側の空間への接続を供給するために回転の仮想上の軸に関連して回転できるような、夫々の枠を有する２つの部屋を隔てるドア（若しくは開閉可能な家具の部品の一部）を接続するために適用されるヒンジの種々の型がある。近年、隠しヒンジ（“不可視のヒンジ”）、すなわち、ドア若しくは開閉可能な家具部が閉鎖された場合にドア若しくは開閉可能な家具部の両側で視界から全体的に隠れた隠しヒンジは、ますます一般的になっている。一般的には、これらのヒンジは、ドア若しくは開閉可能な家具部の開放及び閉鎖位置に対応する２つの制限位置の間で互いに関連して移動することを許容する、即ち、変化する角度に関節のつなげられたアームで通常構成されるような、接続装置によって互いに連結された２つの締め金具メンバ（ドア若しくは開閉可能である家具部、例えばこれの外縁に埋め込まれる一方と、枠に埋め込まれた他方と）を有する。閉鎖位置で、２つの締め金具メンバが向かい合って、同時に、接続装置（及びこのためにアームも）は、ドア若しくは開閉可能な家具部が閉鎖される場合にヒンジがドア若しくは開閉可能な家具部及びそれぞれの枠の間に完全に隠されるような、締め金具メンバそれらに作成されるキャビティの内側にしまい込まれる。
【０００３】
２つの締め金具メンバを連結する接続装置は、ドアが閉鎖される場合に収納部にしまい込まれる締め金具メンバを許容する特徴を全て維持しながら、多種の連結を形成する２つ若しくは複数の関節アームを有する複数の異なる方法で作成され得るので、ヒンジは、引き続き不可視のままである。
【０００４】
接続装置の第１の例の構造で、これが構成された関節アームは、種々に形成され、１つの締め金具メンバにヒンジで動かされる第１の端部と、他の締め金具メンバに作成されたスライドガイドでスライド可能である他端部とを有する。アームは、“５点関節”（２つは固定され、１つは移動可能である３回転ピン、加えて２ピンはガイドで移動可能である）を形成するために端部の間で互いにヒンジで動くようにもされ得る。取得される幾何学的制限及びアームの１端部がそれぞれの締め金具メンバの内側でスライドできる可能性のために、ヒンジが完全に埋め込まれ、視界から隠れる構造で、アームは、開放若しくは閉鎖するドア若しくは開閉可能な家具部を許容するために、互いに関連して回転でき、必須の複雑な回転並進動作を保証する。
【０００５】
接続装置の他の例の構造で、これが構成された関節のあるアームの両端は、最初に一方の締め金具メンバに、第２にもう一方の締め金具メンバヒンジに動くようにされる。その他の自由度は、各アームが共通の端部で互いに順々にヒンジで動くようにされる少なくとも２つの要素で構成されることによって提供される。さらに、アームは、アーム要素の一方の端部の間に設置された共通のピンによって互いにヒンジで動くようにもされている。この構成は、（関節アームの間に、及び、アーム及び締め金具メンバの間に７ヒンジピンがあるので）アームが互いに関連して回転でき、（互いの間で、ヒンジ部を有する幾何学的制限のために）これらはヒンジが完全に埋め込まれ、視界から隠れる構造で開放及び閉鎖するためにドア若しくは開閉可能な家具部を許容するために必須の複合の回転並進動作を保証できる“７点関節”を形成する。これはアームの構成で非常に複雑さを要求されるにもかかわらず、“５点関節”の解決方法でスライディングガイドを要求されるので“７点関節”が、ドア若しくは枠にこれらを埋め込むことで、同一の深さを要求されないという点で、締め金具メンバの厚さを減少することができる。
【０００６】
多くの場合に、使用者が反対側の空間若しくは部屋への接続を得るためにドア若しくは開閉可能な家具部を開放し、そのときこれを閉め忘れるだろう。この問題を克服するために、外部予備閉鎖システムは、ドアを閉鎖位置に自動的に戻すためにドア及び夫々の枠の間に通常設置される。外部予備閉鎖システムは、強打からこれを防ぐために閉鎖位置に向かうドアの移動を減速するブレーキをよく備え付けられる。しかし、外部予備閉鎖システムは、可視で、扱いにくい。従って、これら外部システムの適用は、機能的及び美的景観の両方からの隠し（若しくは“不可視”の）ヒンジの効果を無価値にする。
【０００７】
ヨーロッパ特許公開公報ＥＰ０３５２９１２Ａ１号公報は、自動閉鎖装置が組み合わされた前述の“５点関節”の接続装置を有するタイプの不可視のヒンジを開示する。自動閉鎖装置は、後述のように構成されている。２つの締め金具メンバの１つに形成されたランナーでスライドする２つの関節のあるアームの１つの端部は、リンクロッドによって制御される。リンクロッドは、同一のリンクロッドの同軸のコイルスプリング同軸ケーブルによって付勢されたスプリングである。リンクロッド及びスプリングシステムは、リンクロッドによってアームの端部が制御されるランナーがスライドする締め金具メンバの底から飛び出す。バネは、締め金具メンバの外部から、締め金具メンバの底及びリックロッドそれ自身のストップメンバの間に包囲される。ヒンジが閉鎖位置から開放位置へ向かって移動される場合に、アームのスライド端部が、それがランナーでスライドするように、それに従ってリンクロッドを引き寄せ、スプリングを締め金具メンバの底及びリンクロッドのストップメンバの間で押圧させることを生じさせる。使用者がドア若しくは開閉可能な家具部を開放する場合に、バネが延長位置に戻り、開放方向の反対の方向にスライドするために、リンクロッドを介して、アームの端部を促す。この方法でアームの端部へのスライド移動の開示は、ドア若しくは開閉可能な家具部をもとの閉鎖位置に自動的に移動する接続装置の関連を駆動する。
【０００８】
前述された解決方法は、複数の課題を有する。リンクロッド及びスプリングシステムによって占有された空間は、これが一体化された締め金具メンバの大きさが増加し、ドア若しくは枠でヒンジ締め金具メンバを設置するための非常に深い収納部をカットすることが必要とされる。装置は、調整することが困難であり、非常に脆弱か、非常に強固かのいずれかの開閉機構を生産する傾向にあり、使用者にとってもリスクを生じる。装置は、５点関節の不可視のヒンジにのみ、若しくは、幾つかの場合で、関節がランナーでスライド可能である少なくとも１つのシューを有するヒンジにのみ適用可能である。さらに、開機構で無意味なのは、ヒンジが閉鎖に向かうストレスの影響下にないことである。これは、自動的に閉鎖からドアを止めることを意味し、この移動の全体の角度拡張ためにかなりの力を制止されなければならない。
【発明の概要】
【０００９】
本発明の目的は、閉鎖装置の閉鎖力が正確に調整され得るドア及び／若しくは開閉可能な家具部のための閉鎖装置を一体化された隠しヒンジを供給することによって前述の課題を克服することである。本発明の他の目的は、少なくとも完全な開放位置でドアを保持することなしに、使用者にドアを維持することを許容することである。本発明のその他の目的は、閉鎖装置の同一のタイプの隠しヒンジの種類の最大限の数を提供することである。本発明のさらなる目的は、多用途、適用すること及び調整することの容易である一体化された閉鎖装置の隠しヒンジを提供することである。
【００１０】
従って、ここで独立した請求項で記載された構造物的な及び機能的な特徴と、従属する請求項に記載されているこれのさらなる実施形態とを有する、本発明は、ドア及び／若しくは開閉可能な家具部のための一体化された閉鎖装置を有する隠しヒンジを伴って、これらの目的及びその他、後述の記載でさらに詳細を達成する。
【００１１】
本発明は、好適で、限定されない実施形態及び後述で示される添付する図面に関連して以下でさらに詳細に記載されている。
【図面の簡単な説明】
【００１２】
【図１】図１は、完全な開放位置での本発明の隠しヒンジの前面図である。
【図１ａ】図１ａは、図１のＡ−Ａのラベル付けられた平面を通るそれの断面を示す図である。
【図１ｂ】図１ｂは、図１のＢ−Ｂのラベル付けられた平面を通るそれの断面を示す図である。
【図１ｃ】図１ｃは、図１ｂの拡大された詳細図である。
【図１ｄ】図１ｄは、図１ａの拡大された詳細図である。
【図２】図２は、部分的な開放位置の本発明の隠しヒンジの前面図である。
【図２ａ】図２ａは、図２のＤ−Ｄのラベル付けられた平面を通るそれの断面を示す図である。
【図２ｂ】図２ｂは、図２のＣ−Ｃのラベル付けられた平面を通るそれの断面を示す図である。
【図２ｃ】図２ｃは、図２ｂの拡大された詳細図である。
【図２ｄ】図２ｄは、図２ａの拡大された詳細図である。
【図３】図３は、他の部分的の開放位置での本発明の隠しヒンジの前面図である。
【図３ａ】図３ａは、図３のＦ−Ｆのラベル付けられた平面を通るそれの断面を示す図である。
【図３ｂ】図３ｂは、図３のＥ−Ｅのラベル付けられた平面を通るそれの断面を示す図である。
【図３ｃ】図３ｃは、図３ｂの拡大された詳細図である。
【図３ｄ】図３ｄは、図３ａの拡大された詳細図である。
【図４】図４は、さらに他の部分的な開放位置の本発明の隠しヒンジの前面図である。
【図４ａ】図４ａは、図４のＦ−Ｆのラベル付けられた平面を通るそれの断面を示す図である。
【図４ｂ】図４ｂは、図４のＥ−Ｅのラベル付けられた平面を通るそれの断面を示す図である。
【図４ｃ】図４ｃは、図４ｂの拡大された詳細図である。
【図４ｄ】図４ｄは、図４ａの拡大された詳細図である。
【図５】図５は、閉鎖位置の本発明の隠しヒンジの前面図である。
【図５ａ】図５ａは、図５のＫ−Ｋのラベル付きの平面を通るそれの断面を示す図である。
【図５ｂ】図５ｂは、図５のＪ−Ｊのラベル付きの平面を通るそれの断面を示す図である。
【図５ｃ】図５ｃは、図５ｂの拡大された詳細図である。
【図５ｄ】図５ｄは、図５ａの拡大された詳細図である。
【図６】図６は、図２のものと同等で、その他をより好ましく示すために配置された閉鎖装置が配置された締め金具メンバの幾つかの部分が切り取られた本発明のヒンジの図である。
【図６ａ】図６ａは、図６のＬ−Ｌのラベル付けられた平面を通るヒンジの断面である。
【図７】図７は、さらにその他をより好ましく示すために切り取られた幾つかの部分を伴う、図６の右手側の側面から、図６のヒンジの側面図である。
【図７ａ】図７ａは、図７の筐体を詳細に示す拡大図である。
【図８】図８は、完全な開放位置を示す、本発明のヒンジの前面斜視図である。
【図９】図９は、閉鎖装置が配置された締め金具メンバの分解組立図を示す本発明のヒンジの前面からの斜視図である。
【図９ａ】図９ａは、閉鎖装置が配置されたアーム要素を示す図から拡大された詳細図である。
【図１０】図１０は、閉鎖装置が配置された締め金具メンバの分解組立図を示す本発明のヒンジの背面からの斜視図である。
【図１１】図１１は、閉鎖装置が配置された締め金具メンバの拡大図を示す、完全な開放位置で本発明のヒンジの側面図である。
【図１２】図１２は、互いに配置されて、図１乃至１１にも示された実施形態の閉鎖装置の第１及び第２のカム要素を互いに配置され、概略的に示す図である。
【図１３】図１３は、カム要素のさらなる実施形態を示す、図１２のカム要素と同等の概略図である。
【図１４ａ】図１４ａは、５点接続装置を供給されたヒンジの本発明のヒンジの閉鎖装置の実現性のある構造を示す、図５ｃのこれらと同等の断面図である。
【図１４ｂ】図１４ｂは、５点接続装置を供給されたヒンジの本発明のヒンジの閉鎖装置の実現性のある構造を示す、図５ｄのこれらと同等の断面図である。
【発明を実施するための形態】
【００１３】
添付図面に関連して、参照符号１は、本発明に係るドア及び／若しくは開閉式の家具部のための完全隠しヒンジを示す。ヒンジ１は、第１及び第２の締め金具メンバ１ａ、１ｂを有する。第１及び第２の締め金具メンバ１ａ、１ｂは、ドア若しくは開閉式の家具部に、一方及び他方を夫々の枠に埋め込まれるように設計される。第１及び第２の締め金具メンバ１ａ、１ｂの各々は、夫々の面１２ａ；１３ａ；１２ｂ；１３ｂにある少なくとも１つの夫々の平面部１０ａ；１１ａ；１０ｂ；１１ｂを有する。第１及び第２の締め金具メンバ１ａ、１ｂは、ヒンジ１の（図１、１ａ、１ｂ及び８に例として示される）ドア若しくは開閉可能な家具部の完全な開放位置に対応する、ヒンジ１の開放位置と、（例えば、図５、５ａ、５ｂに示されるように）ドア若しくは開閉可能な家具部の閉鎖位置に対応する、ヒンジ１の閉鎖位置と、の間で互いに関連してこれらを移動可能にする接続装置２によって互いに接続されている。ヒンジで参照される“閉鎖位置”及び“開放位置”という表現は、夫々、ドア若しくは開閉可能な家具部材が閉鎖及び開放位置にある場合に、ヒンジに挿入される構造を示すために適用される。ヒンジ１の閉鎖位置で、第１の締め金具メンバ１ａの平面部１０ａ、１１ａの面１２ａ、１３ａは、第１の締め金具メンバ１ｂの平面部１０ｂ、１１ｂの面１２ｂ、１３ｂに対向する。
【００１４】
ヒンジ１が閉鎖位置ある場合に、第１の締め金具メンバ１ａのキャビティ１４ａ及び第２の締め金具メンバ１ｂのキャビティ１４ｂは、接続装置２を適合するようにハウジングを形成ために結合する。
【００１５】
第１の締め金具メンバ１ａの平面部１０ａ、１１ａは、第１の締め金具メンバの平面フランジ部であり、ドア若しくは枠に第１の締め金具メンバを留めるために適用され得る。同様に、第２の締め金具メンバ１ｂの平面部１０ｂ、１１ｂは、第２の締め金具メンバ１ｂの平面フランジ部であり、ドア若しくは枠に第２の締め金具メンバ１ｂを留めるために適用され得る。好適には、第１の締め金具メンバ１ａ及び第２の１ｂの両方の各々は、平面部１０ａ、１０ｂと、キャビティ１４ａ、１４ｂの反対側に設置された第２の平面部１１ａ、１１ｂと、を有し、双方は、夫々の平面フランジ部であり、ドア若しくは枠に第１の締め金具メンバ１ａ及び第２の２ｂを留めるために適用され得る。接続装置２は、第１の締め金具メンバ１ａの回転ピン３に関連して回転するアーム要素２０を有する。ピン３に関連するアーム要素２０の回転の角度ＡＬＦＡは、閉鎖位置でゼロの最小値、開放位置でゼロではない最大値、及び、閉鎖及び完全に開放位置の間での中間の位置で、最小及び最大の間の中間値を示めす。アーム要素２０の回転の移動は、接続装置２の構造の夫々の変化に対応する。アーム要素２０の回転の角度ＡＬＦＡは、ヒンジ１が値ＡＬＦＡ＝０°に対応する閉鎖位置にある場合にアーム要素２０によって導入される位置に関連して、図１ｃ乃至５ｃと、図１ｄ乃至５ｃと、に示される。アーム要素２０の回転の角度ＡＬＦＡは、図１２及び１３にも示される。回転ピン３は、アーム要素２０の一端部２００で嵌合される。アーム要素２０は、接続装置２の関節のあるアームの一部分であり得る、若しくは、これは、接続装置２の関節のあるアームと同一である。
【００１６】
特に（一例として）図３ａ及び３ｂに関連して、接続装置２は、互いに第１及び第２の締め金具メンバを接続する第１及び第２のアーム２１、２２を有する。第１のアーム２１は、夫々のヒンジピン２１０ａで第１の締め金具メンバ１ａにヒンジで動くようにされた第１の端部２１ａと、第２の締め金具メンバ１ｂに動作可能なように嵌合される第２の端部２１ｂと、を有する。第１及び第２のアーム２１、２２は、夫々のヒンジピン２３でこれらの２端部２１ａ、２１ｂ；２２ａ、２２ｂの間の中間点で互いにヒンジで動くようにされている。好適には、ヒンジピン２１０ａ、２２０ａ、２３は、互いに平行である。
【００１７】
第１のアーム２１の第２の端部２１ｂは、第２の締め金具メンバ１ｂにヒンジで動くようにされ得るし、第２のアーム２２の第２の端部２２ｂは、第１の締め金具メンバ１ａにヒンジで動くようにされ得る（この解決方法は、図１乃至１１に図示されている）。この場合に、アーム２１、２２の構成は、好適には後述する通りである。第１及び第２のアーム２１、２２は、第１のアーム部２１１、２１２と、第２のアーム部２２１、２２２とで各々構成されている。第１のアーム部２１の第１の部分２１１は、第１のアーム２１の第１の端部２１と同一である第１の端部と、第１のアームの第２の部分２１２の第１の端部において、ヒンジで動かされる第２の端部２１１ｂと、を有する。第２のアーム２１の第２の部分２１２の第２の端部は、第２の締め金具メンバ１ｂにヒンジで動くようにされ、第１のアーム２１の第２の端部２１ｂと同一である。全てのヒンジピンの軸は、好適には互いに平行である。第２のアーム２２の第１の部分２２１は、第２のアーム２２の第１の端部２２ａと同一である第１の端部と、第２のアーム２２の第２の部分２２２の第１の端部２２２ａにヒンジで動くようにされた第２の端部と、を有する。第２のアーム２２の第２の部分２２２の第２の端部は、第１の締め金具メンバ１ａにヒンジで動くようにされ、第２のアーム２２の第２の端部２２ｂと同一である。全てのヒンジピンの軸は、好適には互いに平行である。第１のアーム２１の第１の部分２１１及び第２のアーム２２の第１の部分２２１は、これらの端部の間の中間点で、さらに具体的にはヒンジピン２３で互いにヒンジで動くようにされている。この場合、このためにヒンジは、各アームの３つのヒンジピンを有し、両方のアームで共有される１ピンを加えて、“７点”構造である。
【００１８】
（閉鎖位置でヒンジの第１の締め金具メンバ１ａの重要な細部の詳細を示す）図１４ａ及び１４ｂに示された実施形態で、第１のアーム２１の第２の端部２１ｂは、第１のアーム２１の第２の端部２１ｂは、第２の締め金具メンバ１ｂに形成されたランナーに嵌合され得るし、第２のアーム２２の第２の端部２２ｂは、第１の締め金具メンバ１ａに形成された“複数”のランナーに嵌合され得る。この場合、第１及び第２のアーム２１、２２が適切に成形されるならば、ヒンジは、“５点”構造（締め金具メンバ１ａ、１ｂに固定された２つのヒンジピン２１０ａ、２２０ａ、２つのアーム２１、２２によって供給される１つの移動可能なピン２３、さらに、２つの締め金具メンバ１ａ及び１ｂに形成されたスライドガイドで移動可能である２つのアーム２１、２２の第２の端部２１ｂ及び２２ｂ）を有するだろう。この実施形態で、アーム要素２０は、第１のアーム２１と同一であり、アーム要素２０の回転ピン３は、ヒンジピン２１０ａ（第１のアーム２１の第１の端部２１ａと同一であるアーム要素２０の端部２００）と同一である。
【００１９】
一般的には、本発明の特徴は、第１及び第２の締め金具メンバ１ａ、２ａの間の包括的な接続装置２に関連して後述される。ここに記載される本発明の特徴は、一般的に、且つ、特に別段ない限り、接続装置２の所定の構成から独立しているものと理解されるべきである。
【００２０】
一般的に、参照がアーム２１、２２の存在をさせる記載は、２つのアームの存在を常に参照しているだろう。しかし、所定の実施形態が明確に述べない限り、ここでの全ての考察は、容易に、且つ、迅速に、３つ若しくは複数のアームが存在する場合に拡張され得る。
【００２１】
ヒンジ１は、自動閉鎖装置４も有している。
【００２２】
自動閉鎖装置４は、少なくとも第１のカム要素５及び第２のカム要素６を有し、夫々、アーム要素２０の対応する第１の部分２０ａ及び第２の部分２０ｂに形成される。アーム要素２０の第１及び第２の部分２０ａ及び２０ｂの各々は、回転ピン３の周囲で延長し、ピン３そのものに従って異なる位置に設置される（図９乃至１１、９ａ）。自動閉鎖装置４は、第１の弾性手段５１によって付勢される、少なくとも１つの第１のタペット５０を有する。第１の弾性手段５１は、第１のカム要素５に嵌合される第１のタペット５０を維持する。自動閉鎖装置は、第２の弾性手段６１によって付勢される、少なくとも１つの第２のタペット６０を有する。第２の弾性手段６１は、第２のカム要素６に嵌合される第２のタペット６０を維持する。第１及び第２のタペット５０、６０と、夫々第１及び第２の弾性手段５１、６１とは、第１の締め金具メンバ１ａに設置されている。第１及び第２のタペット５０、６０及び夫々の第１及び第２の弾性手段５１，６１は、ヒンジ１が閉鎖位置にある場合に、第１の締め金具メンバのキャビティ１４ａ及び第２の締め金具メンバ１ｂのキャビティ１４ｂによる組み合わせで形成されるハウジングで受けられる。
【００２３】
以下は、図面に、特に図１２及び１３に、関連して第１および第２のカム要素５及び６の構成の記載がある。図１２及び１３は、互いに重なって配置されて示される、第１及び第２のカム要素５及び６の２つの実施形態を示している。第１のカム要素５及び第２のカム要素６の間の差異は、第１のカム要素５の部分に重なって配置されていない第２のカム要素６の部分を示す、太い破線で図１２及び図１３に示されている。
【００２４】
第１のカム要素５は、第１のタペットが第１の角度領域“Ｉ”の範囲に入るアーム要素２０の回転角度ＡＬＦＡの値に互いに作用する夫々の動作部分５２を有している。
【００２５】
第２のカム要素６は、第１の角度領域“Ｉ”に少なくとも部分的に重なって配置されない第２のタペット６０が第２の角度領域“ＩＩ”の範囲に入るアーム要素２０の回転角度ＡＬＦＡの値に互いに作用する夫々の動作部分６２を有している。
【００２６】
第１の角度領域“Ｉ”で、第１の回転方向“ｉ”へのアーム要素２０を回転は、第１の弾性手段５１に徐々に負荷をかける第１のタペット５０で第１のカム要素５の動作部分５２の動作に対応する。第２の回転方向“ｉｉ”へのアーム要素２０を回転は、第１と反対に、第１の弾性手段５１の漸進的な開放と、第１のカム要素５の動作部分５２で第１のタペット５０の結果として生じる動作と、に対応し、この結果閉鎖位置に向かって第１及び第２の締め金具メンバ１ａ、１ｂの関連する移動が生じる。
【００２７】
第２の角度領域“ＩＩ”で、第１の回転方向“ｉ”へのアーム要素２０の回転は、第２の弾性手段６１に徐々に負荷をかける第２のタペット６０で第２のカム要素６の動作部分６２の動作に対応する。第２の回転方向“ｉｉ”へのアーム要素２０の回転は、第２の男性手段６１の漸進的な解放と、第２のカム要素６の動作部分６２で第２のタペット６０の結果として生じる動作と、に対応し、この結果閉鎖位置に向かって第１及び第２の締め金具メンバ１ａ、１ｂの関連する移動が生じる。
【００２８】
アーム要素２０の第１の回転方向“ｉ”は、閉鎖位置から開放位置へ向かうヒンジの移動に対応する。アーム要素２０の第２の回転方向“ｉｉ”は、開放位置から閉鎖位置へ向かうヒンジの移動に対応する。従って、使用者がドアを開放した場合に、アーム要素２０は、第１の回転方向“ｉ”へ回転を生じさせられ、その結果、第１の弾性手段５１は、第１のタペット５０が第１の回転領域“Ｉ”中を通る場合に負荷をかけられ、第２の弾性手段６１は、第２のタペット６０が第２の回転領域“ＩＩ”中を通る場合に負荷をかけられる。第１の角度領域“Ｉ”が第２の角度間隔“ＩＩ”に少なくとも一部分的に重なって配置されないということは、第１の回転方向“ｉ”へのアーム要素２０の回転の間に、第１の弾性手段５１のみ若しくは第２の弾性手段６１のみが２つの角度領域“Ｉ”、“ＩＩ”の一方の少なくとも１つの伸びに関連して負荷をかけられることを意味する。使用者がドアから手を放した場合に、第１の角度領域“Ｉ”にあるタペット５０及び／若しくは第２の角度領域“ＩＩ”にある第２のタペット６１は、弾性手段５１及び第２の弾性手段６１を  負荷シーケンスの逆転である順序で開放し、解除シーケンスは、ヒンジ１の所定の動的な閉鎖スキームに対応する。さらに特に、動的な閉鎖スキームは、第１のカム要素５１の動的部分５２の形状と、第２のカム要素６の動的部分６２の計上と、第１のカム要素５に関連する第１のタペット５０の位置と、第２のカム要素に関連する第２のタペット６０の位置と、第２の弾性手段６１の位置及び弾性的特性による第１のタペット５０及び第１のカム要素５の間の接触力と、第１の角度領域“Ｉ”及び第２の角度領域“ＩＩ”の大きさと、第１の角度領域“Ｉ”及び第２に“ＩＩ”の間の非重複の区域の配置及び大きさと、で決定される。
【００２９】
図面、特に図１２及び１３で、は、第１の回転方向“ｉ”へのアーム要素２０の回転の間に、第２の弾性手段は、第２のタペット６０が第１の“Ｉ”に重なって配置されない第２の角度領域“ＩＩ”の部分を通過する場合に第１の弾性手段５１が負荷をかけられたために停止した後に負荷をかけられ続ける最良の実施形態を示している。
【００３０】
アーム要素の回転ピン３に従った２つの異なる位置での少なくとも２つのカム要素５、６の適用と、互いに重なって配置されない少なくとも１つの部分を有する夫々の角度領域“Ｉ”及び“ＩＩ”の夫々のタペット５０、６０の制御とは、極限多用途性を有する閉鎖装置４の動作の調整を可能にし、角度領域“Ｉ”及び“ＩＩ”の重複の大きさ及び範囲の機能として所望の動的なスキームに従う移動をドアに与える。さらに特に、開放及び閉鎖制限位置の間でも、これは、タペット５０、６０がアーム要素２０の幾つかの力を閉鎖位置に向かってヒンジ１を移動に適用する角度領域若しくはポイントを生成可能である。カム要素５、６の形状も調整することによって、これは、操作される方法で閉鎖位置へ向かうヒンジ１の移動を加速若しくは減速もできる。
【００３１】
閉鎖装置４の要素の特殊な配置のおかげで、ヒンジ１は、これがドア及び／若しくは枠に埋め込まれた場合に、小型及び低侵襲性である。特に図１２及び１３に示すように、第１の角度領域“Ｉ”は、ゼロより大きい若しくは等しい第１の所定の値ＡＬＦＡ＿１及び第１の値ＡＬＦＡ＿１よりも大きい第２の所定の値ＡＬＦＡ＿２の間のアーム要素２０の回転の角度の値ＡＬＦＡによって規定されている。第１の回転方向“ｉ”へのアーム要素２０の回転は、第１の所定のＡＬＦＡ＿１から第２の所定のＡＬＦＡ＿２への方向で回転角度ＡＬＦＡを増大する。他方では、第２の回転方向“ｉｉ”へのアーム要素２０の回転は、第２の所定の値ＡＬＦＡ＿２から第１の所定の値ＡＬＦＡ＿１への方向で回転角度ＡＬＦＡを減少する。第２の角度領域“ＩＩ”は、ゼロよりも大きい若しくは等しい第３の所定の値と、所定の第３の値ＡＬＦＡ＿３及び第２の所定の値ＡＬＦＡ＿２の両方よりも大きい第４の所定の値ＡＬＦＡ＿４との間のアーム要素２０の回転角度の値ＡＬＦＡで規定されている。効果的及び好適には、第４の所定の値ＡＬＦＡ＿４は、最大値ＡＬＦＡ＿ＭＡＸよりも小さい。第１の回転方向“ｉ”へのアーム要素２０の回転は、第３の所定の値ＡＬＦＡ＿３から第４の所定の値ＡＬＦＡ＿４への方向で回転角度ＡＬＦＡを増大する。第２の回転方向“ｉｉ”へのアーム要素２０の回転は、他方では、第４の所定の値ＡＬＦＡ＿４から第３の所定の値ＡＬＦＡ＿３への方向で回転角度ＡＬＦＡを減少する。
【００３２】
図１２のように、アーム要素２０の回転角度の第３の所定の値ＡＬＦＡ＿３は、第２の所定の値ＡＬＦＡ＿２よりも小さい場合に、第１の角度領域“Ｉ”及び第２の角度領域“ＩＩ”は、第３の所定の値ＡＬＦＡ＿３から第２の所定の値ＡＬＦＡ＿２へ拡張する（第１の所定の値ＡＬＦＡ＿１及び第３のＡＬＦＡ＿３が一致した場合に、全体の第１の角度領域“Ｉ”と一致し得る、若しくは、第１の所定の値ＡＬＦＡ＿１及び所定の値のＡＬＦＡ＿３が一致しあい場合に、第１の回転方向“ｉ”で第１の角度領域“Ｉ”の末端部のみが一致し得る）重複領域を有している。図１乃至１２に示される本実施形態で、ヒンジが閉鎖位置から開放位置に通る（すなわち、アーム要素２０が第１の回転方向“ｉ”に向きを変える）場合に、夫々の第１及び第２のカム要素５及び６に接触を続けられる第１及び第２のタペット５０、６０は、連続して、  
−初めに、（第１のカム要素５の動作部分５２の動作が第１の弾性手段５１に負荷を生じる）第１の角度領域“Ｉ”及び（第２のカム要素６の動作部分６２の動作が第２の弾性手段６１での第１の負荷の程度を生じる）第１の角度領域“Ｉ”と第２の“ＩＩ”の間の重複範囲、この重複範囲は、前述したように、アーム要素２０の回転角度ＡＬＦＡの第１の所定の値ＡＬＦＡ＿Ｉ及び第３の所定の値ＡＬＦＡ＿３が一致した場合に、全体の第１の角度領域“Ｉ”に場合によっては一致し、  
−次に、第２のカム要素６の動作部分６２の動作が第２の弾性手段６１のさらなる負荷の程度を生じる（２つの角度領域の間の非重複の範囲の少なくとも一部分で一致する）第２の角度領域“ＩＩ”の残り部分と、  
を経由する。
【００３３】
図１３に示される本発明の実施形態で、第１の角度領域“Ｉ”及び第２の“ＩＩ”は、分離している。さらに特に、第１の角度領域“Ｉ”及び第２の“ＩＩ”は、全体で重複しない。この場合、アーム２０の回転角度ＡＬＦＡの第３の所定の値ＡＬＦＡ＿３は、第２の所定の値ＡＬＦＡ＿２よりも大きく若しくは、最大でも、に等しい。この場合、第１のタペット５０及び第２の６０の両方は、第１の角度領域“Ｉ”を通過後に第２の角度領域“ＩＩ”を通過する。アーム要素２０の回転角度ＡＬＦＡの第３の所定の値ＡＬＦＡ＿３が第２の所定の値ＡＬＦＡ＿２よりも完全に大きい場合に、タペット５０、６０（及び夫々の弾性手段５１、６１）でのこれらの作用は、（例えば、この角度間隔でカム要素５，６の表面を軸が回転ピン３にあり、タペット５０，６０の間の距離及び回転ピン３が変化しない場合に夫々の弾性手段５１、６１の負荷レベルが不変のままである円筒部の形状にすることによって）、実質的にニュートラルであるように、第１及び第２のカム要素５、６は、ＡＬＦＡ＝ＡＬＦＡ＿２及びＡＬＦＡ＝ＡＬＦＡ＿３の間の角度間隔で形成され得る。このために、使用者がこれを保持しない場合でさえヒンジが部分的な開放位置にとどまることができる２つの角度領域“Ｉ”及び“ＩＩ”の間の中間範囲を規定可能である。さらに特に、この中間領域の弾性力が平衡であるので、第１の弾性手段５１及び第２の弾性手段６１は、使用者がドアから手を放した場合に、第２の回転方向“ｉｉ”のアーム要素２０を回転することによって閉鎖位置に向かってヒンジを移動し得るそれぞれのカム要素５，６のいくつかの動作に適用しない。さらに、図１３に示された実施形態の、第２のタレット６０及び夫々の第２の弾性手段６１の第２のカム要素６の表面の作用は、第１の角度領域“Ｉ”での表面位置を軸が回転ピン３にある円筒要素の形状にすることによって第１の角度範囲“Ｉ”で無効にされ得る。回転ピン３からの第２のタペットの距離が不変である場合、第２の弾性手段６１の張力の状態は不変である。この角度領域の弾性力が平衡なので、第２の弾性手段６１は、アーム要素２０を第２の回転方向“ｉｉ”に回転し得る幾つかの動作を適用できない。
【００３４】
好適には、第１の角度範囲“Ｉ”は、閉鎖位置（０°の角度に対応し、図５a、５ｂ）から（図４ａ、４ｂ）およそ３０°のドアの開放角度に対応する部分的な開口位置へヒンジ１の開口の角度を示す。好適には、第２の角度範囲“I”は、およそ３０°のドアの開放角度（図４ａ、４ｂ）に対応する部分的な開放位置からおよそ９０°（図２ａ、２ｂ）のドアの開放角度に対応する部分的な開放位置にヒンジ１を開口する角度に対応する。
【００３５】
図１２のように、もし第１及び第２の角度範囲“Ｉ”、“ＩＩ”は部分的に重複するならば、第１及び第２の弾性手段５１、６１の剛性及び特性と、（第１及び第２のタペット５０、６０がアーム要素２０の角度ＡＬＦＡの回転角度の第１の所定の値ＡＬＦＡ＿１に対応する位置する場合に、第１の回転方向“i”に関連して、これに対応する張力の程度である）始めのこれらの張力の程度とを適切に選択することによって、アーム要素２０が第１の回転方向“ｉ”に向きを変える場合に２つの角度領域“Ｉ”及び“ＩＩ”の間の重複領域で第１の角度領域“Ｉ”で第１の弾性手段５１によって同時に達する負荷レベルと比較して、低い若しくは無視してよい第２の弾性手段６１によって達する負荷レベルにすることができる。このために取得される機械的作用は、第１及び第２の角度領域“I”及び“II”が互いに分離される場合に、取得され得るこれに同等である。
【００３６】
前述したように、効果的で、好適な、アーム要素２０の回転角度ＡＬＦＡの第４の所定の値ＡＬＦＡ＿４は、最大値ＡＬＦＡ＿ＭＡＸよりも小さい。これは、第１及び第２の弾性手段５１、６１の両方が実質的にニュートラルである状況の生成を可能にする。さらに特に、アーム要素２０の回転角度ＡＬＦＡの第４の所定の値ＡＬＦＡ＿４及び最大値ＡＬＦＡ＿ＭＡＸの間の角度領域で、第１及び第２のカム要素５、６を軸が回転ピン３にある円筒表面セクションの形状にすることが可能であり、第１及び第２の弾性手段５１、６１とこれらの弾性力の平衡との張力で、十分な復元力の状態を生成する。
【００３７】
特に図１２及び１３に再び関連して、第４の所定の値ＡＬＦＡ＿４及び最大値ＡＬＦＡ＿ＭＡＸの間のアーム要素２０の回転ＡＬＦＡの角度の値にそれぞれ接触の状態になる第１のカム要素５及び第２の６各々は、夫々の端部５４、６４を有する。前述のように、熱部分５４、６４は、タペット５０、６０及び夫々の弾性手段５１、６１のこれらでの動作が平衡で、このために閉鎖装置４が無効にされるような作成され得る。効果的には、図１２及び１３に示す実施形態で、タペット及びカム要素の間の相互作用の間に、第１の弾性手段５１及び第２の６１は、アーム要素２０が第１の回転方向に回転される場合に、夫々、第１のカム要素５の第１の末端部５４及び第２のカム要素６の第２の末端部６４でこれらの負荷レベルを一定に維持し、若しくは、これを減少する。この特徴は、ヒンジ１のステーブルの完全な開放位置にする傾向がある。このために、第１の回転方向“ｉ”へのアーム要素２０を回転することによって、夫々、第１のカム要素５の末端部５４及び第２のカム要素６の第２の末端部６４で生じることは、第１及び第２の弾性手段５１、６１を解除する作用として十分である。図１２及び１３、各カム要素５、６の末端部５４、６４の輪郭は、鎖線によって示された円筒輪郭の例によってきれいに対比されている。
【００３８】
好適に、第１のカム要素５は、第１の回転方向“ｉ”で動作部分５２に続いて、所定の値ＡＬＦＡ＿４より小さい、若しくは、最大でも等しい第２の所定の値ＡＬＦＡ＿２及び第５の所定の値ＡＬＦＡ＿５の間の回転角度ＡＬＦＡの値に接触する第１の付属部分５３を有する。第１のカム要素５で、第１のカム要素５の予備部分５３は、第２の角度領域“ＩＩ”の末端部から第１の角度領域“Ｉ”の末端部を、第１の回転方向“ｉ”に従って、分離する角度距離を覆う。予備部分５３及び第１のタペット５０の間の相互作用の間に、第１の回転方向“ｉ”でアーム要素２０の回転の間で、回転角度ユニット毎に第１の弾性手段５１によって適用された負荷の増分は、ゼロ若しくは動作部分５２で生じるこれよりも値の小さい。第１の予備部分５３での第１の弾性手段５１によって適用されたさらなる全体の負荷の値は、アーム要素２０の回転角度ＡＬＦＡの第２の所定の値ＡＬＦＡ＿２及び第５の所定の値ＡＬＦＡ＿５の間の角度間隔の大きさに依存する。さらに特に、第１の弾性手段５１によって適用されるこのさらなる負荷の値は、アーム要素２０の回転角度ＡＬＦＡの第２の所定の値及び第５の所定の値ＡＬＦＡ＿５の間の角度間隔での回転角度ユニット毎の第１の弾性手段によって適用される負荷での増分の積分と等しい。好適には、第１の弾性手段５１によって適用されるこのさらなる負荷の値は、ゼロ若しくは第１のカム要素５の動作部分５２に適用される負荷のレベルと比較して無視できるものである。さらに特に、第１の予備部分５３に生成される状態は、接続装置２及びヒンジ１の運動で第１のタペット５０及び夫々の第１の弾性手段５１の動作のようである。このように、第１の予備部分５３によって覆われた角度領域で、閉鎖移動が、減速され、若しくは、停止される、又は、これが使用者によって移動されない限りドア若しくは開放可能な家具部が変化しない、若しくは、実質的に自由であり得る領域が、生成される。カム要素５の第１の予備部分５３は、第１のカム要素５の末端部５４の動作部分５２に接続する。第１の予備部分５３は、平面要素の形状に作成され得る。
【００３９】
好適には、第１のカム要素５の動作部分５２及び第２のカム要素６の動作部分６２は、アーム要素２０の回転ピン３によって規定され、この軸を含まない回転の軸に平行な夫々の平面５２０、６２０によって各々規定される。第１のカム要素５の動作部分５２及び第２のカム要素６を規定する平面５２０、６２０は、夫々、ゼロでなく、直角よりも小さい所定の角度ＢＥＴＡで互いに傾斜される（図９ａ、１２、１３）。
【００４０】
このために、効果的には、第１のカム要素５の動作部分５２の平面５２０がある平面は、第２のカム要素６の動作部分６２の平面がある平面から取得される。第４の所定の値ＡＬＦＡ＿４及びアーム要素２０の回転角度ＡＬＦＡの第２の所定の値ＡＬＦＡ＿２の間の差異に等しい角度で回転ピン３の軸について互いに関連して回転される。
【００４１】
第１及び第２のタペット５０、６０は、押圧部５００、６００が属するタペット５０、６０は、夫々の動作部分５２、６２に接触した状態である場合に、夫々の平面５２０、６２０の平面を横断する軸５０１、６０１に従って移動可能な少なくとも１つの夫々押圧部５００、６００を有する。押圧部５００、６００は、回転ピン３の軸から離れる方向に、少なくとも１つの夫々のらせんバネ５０２、６０２で対抗される。
【００４２】
第１のタペット５０の押圧部５００を移動し、平行にらせんバネ５０２が動作する軸５０１は、第２のタペット６０の押圧部６００が移動し、平行にらせんバネ６０２が動作する軸６０１に平行である。好適には、第１のタペット５０の押圧部５００が移動する軸５０１及び第２のタペット６０の押圧部６００が移動する軸６０１によって規定される平面は、アーム要素２０の回転ピン３の軸を含む。第１のタペット５０の押圧部５００は、効果的には、複数のらせんバネ５０２によって、回転ピン３の軸から離れる方向へ、効果的に対抗される。らせんバネ５０２は、好適には、全て互いに平行である。第２のタペット６０の押圧部６００は、複数のらせんバネ６０２によって、回転ピン３の軸から離れる方向へ、効果的に対抗される。らせんバネ６０３は、好適には、全て互いに平行である。
【００４３】
一般的に言えば、本発明の幾つかの実施形態で、決定的に同一の弾性手段５１、６１の剛性及び／若しくはヒンジ１での固定された幾何学的制約を規定することによって始めに第１及び第２の弾性手段５１、６１の張力の程度（即ち、第１の回転方向“ｉ”に関連して、第１及び第２のタペット５０、６０がアーム要素２０の角度ＡＬＦＡの回転角度の第１の所定のあいたいＡＬＦＡ＿１に対応する位置にある場合に、これに対応する張力の程度）を事前に決定することが可能である。
【００４４】
好適には、発明のヒンジ１は、使用者によって駆動され得るそれぞれのプレロード手段の作用を通して第１及び第２の弾性手段５１、６１のプレロードの状態を調整する可能性を期待する。さらに特に、ヒンジ１は、第１の弾性手段５１で動作する第１のプレロードデバイス５１０を有し、第１のタペット及び複数の所定の最小値から選択可能な第１のカム要素５０の動作部分５２の間の最小の接触力の所定の値で使用者によって設定され得る。複数の所定の最小値は、離散の一連の値を構成し得る。複数の所定の最小値は、下限値及び上限値の間の値の連続した間隔を構成し得る。また、ヒンジ１は、第２の弾性手段６１を動作する第２のプレロードデバイス６１０を有し、第２のタペット６０及び複数の所定の最小値から選択可能な第２のカム要素６０の動作部分６２の間の第２のカム要素６０の動作部分６２の間の最小接触力の所定の値で使用者によって設定され得る。複数の所定の最小値は、離散した一連の値を構成し得る。複数の所定の最小値は、下限値及び上限値の間の値の連続した間隔を構成し得る。
【００４５】
好適には、第２のプレロードデバイス６１０は、第１のプレロードデバイス５１０とは独立に使用者によって設定され得る。このために、第２の弾性手段６１のこれとは独立に始めに第１の弾性手段５１の張力の状態を調整することができる。
【００４６】
第１のプレロードデバイス５１０及び第２の６１０の各々は、夫々ロッカー５１１、６１１及びロッカー５１１、６１１を解放する夫々の変則レバーを有する。各々のロッカー５１１、６１１は、夫々の軸５１２、６１２に関連して回転される。その軸５１２、６１２の１側面で、各々のロッカー５１１、６１１は、夫々の弾性手段５１、６１に接触している。その軸５１２、６１２の対抗する側面で、各々のロッカーは夫々の変則レバー５１３、６１３に接触している。さらに特に、各ロッカー５１１、６１１の軸５１２、６１２は、アーム要素２０の回転ピン３の軸に平行である。さらに、この軸５１２、６１２の１側面で、各々のロッカー５１１、６１１は、夫々の弾性手段５１、６１のらせんバネ５０２、６０２（若しくは、複数の平行ならせんバネ５０２、６０２）に接触している。この軸５１２、６１２の対向する側面で、各ロッカー５１１、６１１は、夫々の変則レバー５１３、６１３に接触している。
【００４７】
好適には、第１のプレロードデバイス５１０のロッカー５１１の軸５１２は、第２のプレロードデバイス６１０のロッカー６１１の軸６１２と一致する。第１のプレロードデバイス５１０のロッカー５１１及び第２のプレロードデバイス６１０のロッカー６１１は、同一の軸に関連して旋回され、好適には、共通の旋回軸５１２、６１２に従って交互に配置されている。
【００４８】
第１のタペット５０（さらに特に、押圧部５００）及び第１の弾性手段（さらに特に、夫々のらせんバネ５０２若しくは夫々の平行ならせんバネ５０２）は、第１のカム要素５（及び／若しくはアーム要素２０の末端部２００）及び第１のプレロードデバイス５１０のロッカー５１１の間に適合される。第２のタペット６０（さらに特に、押圧部６００）及び第２の弾性手段６１（さらに特に、夫々のらせんバネ６０２若しくは夫々の平行ならせんスプリング６０２）は、第２のカム要素６（及び／若しくはアーム要素２０の末端部２００）及び第２のプレロードデバイス６１０のロッカー６１１の間に適合される。
【００４９】
第１のプレロードデバイス５１０の変則レバー５１３及び第２のプレロードデバイス６１０の変則レバー６１３は、ヒンジ１が開放位置にある場合に、少なくとも使用者に各々接近可能である。各変則レバー５１３、６１３は、第１の弾性手段５１若しくは第２の弾性手段６１（さらに特に、らせんバネ５０２、６０２若しくはらせんバネ５０２、６０２）を押し込むように、夫々のタペット５０、６０が、夫々のカム要素５、６を押圧するために夫々のタペット５０、６０が移動する方向へ、若しくは、反作用を得るために反対の方向へ、夫々のロッカー５１１、６１１の回転の角度を選択する。
【００５０】
第１のプレロードデバイス５１０の変則レバー５１３は、第１のタペット５０に平行して配置されている。さらに特に、第１のプレロードデバイス５１０の変則レバー５１３は、押圧部５００及び夫々のらせんバネ５０２（若しくは夫々のらせんスプリング５０２）に、特に、押圧部５００が移動可能である軸に平行なこの１軸で、平行である。この軸は、第１のプレロードデバイス５１０のロッカー５１１が旋回される軸５１２に直角である。第２のプレロードデバイス６１０の変則レバー６１３は、第２のタペット６０と平行して配置される。さらに特に、第２のプレロードデバイス６１０の変則レバー６１３は、押圧部６００及び夫々のらせんバネ６０２（若しくは夫々のらせんバネ６０２）に、特に、押圧部６００は移動可能である軸６０１に平行なこれの１軸で、平行である。この軸は、第２のプレロードデバイス６１０のロッカーが旋回される軸６１２に直角である。
【００５１】
各変則レバー５１３、６１３は、第１の締め金具メンバ１ａでねじ穴に嵌合される調整ねじの形状であり得る。調整ねじの一端部は、ヒンジ１が開放位置にある場合に第１の締め金具メンバのキャビィティ１４ａの内側からの道具で使用者によって接続される。調整ねじのもう一端部は、第１の末端部と対向して、同一のロッカー５１１、６１１の旋回軸５１２、６１２に関連して後に、対向するタペット５０、６０の側面で夫々のロッカー５１１、６１１に接触している。
【００５２】
各変則レバー５１３、６１３は、好適には、第１の締め金具メンバ１ａを作成する夫々の穴５１４、６１４で回転する要素の形状である。これら穴５１４、６１４の１側面で、変則レバー５１４、６１４は、ヒンジが開放位置にある場合に第１の締め金具メンバ１ａのキャビティ１４ａから使用者によって近接され得る第１の末端部５１５、６１５を有する。工具は、ホール５１４、６１４の軸と一致する変則レバー５１３、６１３の軸に関連する変則レバー５１３、６１３を回転するためにこれら末端部５１５、６１５へ挿入され得る。穴５１４、６１４の反対側で、変則レバーは、夫々のロッカー５１１、６１１に接触する第２の末端部５１６、６１６を有する。各変則レバー５１３、６１３は、夫々のロッカー５１１、６１１に向けられた穴５１４、６１４の側面の端壁５１８、６１８に対して隣接するように設計された横断突起部５１７、６１７も有している。横断突起部５１７、６１７及び端壁５１８、６１８の間の接合接触は、弾性手段５１、６１（さらに特に、らせんバネ５０２、６０２）の作用による変則レバー５１３、６１３の第２の末端部５１６、６１６でロッカー５１１、６１１によって適用される押圧動作によって保証されている。第１の回転方向“ｒ１”で穴５１４、６１４の長手軸５１９、６１９の周囲に延長する通路に従う端壁５１８、６１８で理想的に移動するように、端壁５１８、６１８の領域５３０、６３０は、第１の締め金具メンバ１ａのキャビティ１４ａに向かう穴５１４、６１４の側面からの距離を徐々に減少することに直面させられる。これらの領域５３０、６３０は、端壁５１８、６１８を穴５１４、６１４の長手軸５１９、６１９に関連してらせん形である形状にすることによって作成される。好適な実施形態で、端壁５１８、６１８は、全体として平面であり、領域５３０、６３０は、穴５１４、６１４の長手軸に放射状である溝５３０’、６３０’の形状である。これら放射状の溝５３０’、６３０’は、第３の回転方向“ｒ１”で長手軸５１９、６１９の周囲で一方へ移動するように徐々に減少する奥行きを有する。横断突起部５１７、６１７は、放射状の溝５３０’、６３０’の各々で少なくとも一部分で受けられ得る。これには、複数のこれらの放射状の溝５３０’、６３０’がある。図面に示された実施形態で、端壁５１８、６１８は、穴５１４、６１４の長手軸５１９、６１９で中心の仮想上の四角形の対角線に従って配置される４つの放射状の溝５３０’、６３０’を有している。
【００５３】
（例えば工具の）変則レバー５１３、６１３の第１の末端部５１５、６１５に作用し、第１の締め金具メンバ１ａのキャビティ１４ａに向かわせられる回転方向“ｒ１”の穴５１４、６１４の変則レバー５１３、６１３の軸に関連して回転する変則レバー５１３、６１３を作成することは、横断突起部５１７、６１７を端壁５１８、６１８でスライドし、穴５１４、６１４の側面からの距離を徐々に増加することで徐々に異なる領域を通過させる。これは、第１の締め金具メンバ１ａのキャビティ１４ａに向かわれる穴５１４、６１４の側面から離れる移動するように変則レバー５１３、６１３の第２の末端部５１６、６１６も生じさせ、このためにこれは弾性手段５１、６１（さらに特に、らせんバネ５０２、６０２）を押し込むのでロッカー５１１、６１１を押す。図面に示される好適な実施形態で、各時間で横断突起部５１７、６１７は、放射状の溝５３０’、６３０’に直面し、これは、弾性手段５１、６１の反応の作用によってこれにはめ込み、このため対応するプレロードセクションを安定させる。第３の回転方向“ｒ１”で変則レバー５１３、６１３を回転することは、弾性手段５１、６１（さらに特に、らせんバネ５０２、６０２）の圧縮レベルの増加とこのための、プレロードレベルの増加とを生じる。変則レバー５１３、６１３を回転することは、反対の作用を生じる。
【００５４】
図６ａは、特に第２のカム要素６、夫々の第２のタペット６０及び第２の弾性手段６１を示す第１の締め金具メンバ１ａの部分を示している。同様に図６ａに示されるものは、第２のプレロードデバイス６０である。図６ａは、好適な実施形態において同一の構成要素を有する第１のプレロードデバイス５１０の図のように考慮もされ得る。（これは、プレロードデバイス５１０，６１０の一般的な構成に関連して不適切である形状に限りこれとは異なる、第２のカム要素６の代わりに、第１のカム要素５も当然に考慮して、第１のプレロードデバイス５１０の構成要素の対応する参照番号を図６ａの参照番号を置き換えることで十分である。）同一の（第１及び第２のプレロードデバイス５１０、６１０の両方に適用する）ものは、二重の参照符号が示されている参照符号が示されている図７ａに適用する。
【００５５】
好適には、押圧部５０１、６０１、らせんバネ５０２、６０２、ロッカー５１１、６１１及び変則レバー５１３、６１３は、第１の締め金具メンバのキャビティ１４ａの壁に形成された夫々のハウジングに適合されている。さらに特に、らせんバネ５０２、６０２、ロッカー５１１、６１１及び変則レバー５１３、６１３は、ヒンジ１が閉鎖位置にある場合に第２の締め金具メンバ１ｂから第１の締め金具メンバ先端のキャビティ１４ａの底壁１４０ａに形成された夫々のハウジングに適合される。特に図面に示されるように、ロッカー５１３、６１３は、底壁１４０ａの構成の一部分を形成する。変則レバー５１３、６１３は、底壁１４０ａのハウジングを通して夫々に効果的に適合され得る。タペット５０、６０（さらに特に、夫々の押圧部５００、６００）及び夫々の弾性手段５１、６１（さらに特に、らせんバネ５０２、６０２）は、底壁１４０ａでハウジングを通して夫々で適合され得る。
【００５６】
好適には、接続装置２が嵌合され、ヒンジ１のその位置を調整するために第１の構成８ａに関連して移動可能である第１の締め金具メンバ１ａは、第１の構成８ａを有し、少なくとも第２の構成９ａを有する。調整部は、当業者の知識の全ての範囲で複数の異なる方法で具体化され得る夫々の調整手段８００の作用を介して達成される。ヒンジ１が閉鎖位置にある場合に第２の締め金具メンバ１ｂから第１の締め金具メンバ先端のキャビティ１４ａの底壁１４０ａは、第２の構成９ａの底壁によって少なくとも部分的に規定される（特に図１１及び６ａを参照）。
【００５７】
一般的に言えば、第１及び第２のタペット５０、６０及び夫々の第１及び第２の弾性手段５１、６１は、第１の締め金具メンバ１ａのキャビティ１４ａの壁に形成された夫々のハウジングに適合される。
【００５８】
本発明は、重要な効果をもたらす。ヒンジ１に一体化された閉鎖装置は、小型で、使用の用途が広い。これは、複数の状況に適合され得るし、ヒンジ１（及び関連するドア若しくは開閉可能な家具部）に生成される所望の閉鎖運動学的スキームを許容する。ドア若しくは開閉可能な家具部が閉鎖しないままにできる開放／閉鎖移動に従うニュートラルゼロ若しくは点を規定することは、容易である。必要であればこれら位置に関連して安定して作成することも容易である。カム要素の形状及び角度位置と、カム要素と接触した状態になる異なるタペット上で独立して動作するプレロードデバイスの動作との結合された動作の結果異なる角度作業領域で選択的に閉鎖力を測定することが可能である。
【図１】
2013064313.tif 000003
【図１ａ】
2013064313.tif 000004
【図１ｂ】
2013064313.tif 000005
【図１ｃ】
2013064313.tif 000006
【図１ｄ】
2013064313.tif 000007
【図２】
2013064313.tif 000008
【図２ａ】
2013064313.tif 000009
【図２ｂ】
2013064313.tif 000010
【図２ｃ】
2013064313.tif 000011
【図２ｄ】
2013064313.tif 000012
【図３】
2013064313.tif 000013
【図３ａ】
2013064313.tif 000014
【図３ｂ】
2013064313.tif 000015
【図３ｃ】
2013064313.tif 000016
【図３ｄ】
2013064313.tif 000017
【図４】
2013064313.tif 000018
【図４ａ】
2013064313.tif 000019
【図４ｂ】
2013064313.tif 000020
【図４ｃ】
2013064313.tif 000021
【図４ｄ】
2013064313.tif 000022
【図５】
2013064313.tif 000023
【図５ａ】
2013064313.tif 000024
【図５ｂ】
2013064313.tif 000025
【図５ｃ】
2013064313.tif 000026
【図５ｄ】
2013064313.tif 000027
【図６】
2013064313.tif 000028
【図６ａ】
2013064313.tif 000029
【図７】
2013064313.tif 000030
【図７ａ】
2013064313.tif 000031
【図８】
2013064313.tif 000032
【図９】
2013064313.tif 000033
【図９ａ】
2013064313.tif 000034
【図１０】
2013064313.tif 000035
【図１１】
2013064313.tif 000036
【図１２】
2013064313.tif 000037
【図１３】
2013064313.tif 000038
【図１４ａ】
2013064313.tif 000039
【図１４ｂ】
2013064313.tif 000040
【外国語明細書】
2013064313000001.pdf